(57)【特許請求の範囲】
【請求項１】
送信先情報の種類に電話回線を含む異なる複数の通信回線が接続された通信装置であって、
送信先情報を入力可能な入力手段と、
前記入力手段により入力された送信先情報が数字のみから構成されているか否かを判別する送信先情報種別判別手段と、
前記送信先情報種別判別手段により判別された送信先情報が数字のみから構成されていると判別された場合には送信すべき情報を電話回線に出力し、前記送信先情報種別判別手段により判別された送信先情報が数字のみから構成されていないと判別された場合には送信すべき情報を他の通信回線に出力する送信情報出力手段とを備えたことを特徴とする通信装置。
【請求項２】
前記送信先情報を１桁または少数桁の記号と対応付けて記憶する記憶手段と、
前記１桁または少数桁の記号が前記入力手段より入力されたときに、それに対応する前記送信先情報を前記記憶手段から読み出して前記送信先情報種別判別手段に供給する送信先情報供給手段とを備えた請求項１に記載の通信装置。
【請求項３】
前記通信回線は第１の通信回線である電話回線と第２の通信回線との２つであって、
前記送信先情報を記憶する記憶手段を備え、
前記記憶手段には、同一送信先の送信先情報であって種類が互いに異なるものが存在すれば、それらを互いに対応付けて記憶されており、
前記送信情報出力手段は、前記記憶手段に互いに対応付けて記憶されている前記送信先情報のうちの一方が前記入力手段により入力された場合、前記送信先情報種別判別手段による判別結果に応じて送信すべき情報を前記第１の通信回線と第２の通信回線とのうちの一方を選択した結果、その選択した通信回線による送信が不可能な状態であれば、前記記憶手段から他方の送信先情報を読み出して他方の通信回線に送信すべき情報を出力することを特徴とする請求項１に記載の通信装置。
【請求項４】
前記第１の通信回線による送信が不可能な状態であるために前記第２の通信回線に送信すべき情報を出力する場合、および前記第２の通信回線による送信が不可能な状態であるために前記第１の通信回線に送信すべき情報を出力する場合に、前記送信すべき情報のデータ形式を、実際に出力する通信回線に適したデータ形式に変更するデータ変換手段を備えた請求項３に記載の通信装置。
【請求項５】
送信先情報の種類に電話回線を含む異なる複数の通信回線が接続された通信装置を動作させるためのプログラムを格納した記憶媒体であって、
入力された送信先情報の種類が、数字のみから構成されているか否かを判別する送信先情報種別判別プログラムと、
前記送信先情報種別判別プログラムにより判別された送信先情報が数字のみから構成されていると判別された場合には送信すべき情報を電話回線に出力し、前記送信先情報種別判別プログラムにより判別された送信先情報が数字のみから構成されていないと判別された場合には送信すべき情報を他の通信回線に出力する送信情報出力プログラムとを含むプログラムが格納されていることを特徴とするコンピュータ読み取り可能な記憶媒体。
【発明の詳細な説明】
【０００１】
【発明の属する技術分野】
本発明は、送信先情報の種類が相互に異なる複数の通信回線が接続された通信装置、およびその通信装置を動作させるためのプログラムを格納した記憶媒体に関するものである。
【０００２】
【従来の技術】
たとえば、ＬＡＮに接続されたパソコン通信用のモデムと、電話回線に接続されたファクシミリ通信用のモデムとを備えたパーソナルコンピュータにおいては、ＬＡＮを用いるか電話回線を用いるかを、送信の度にキーボードあるいはマウスなどを用いて設定する必要があった。
【０００３】
【発明が解決しようとする課題】
しかしながら、上記従来のパーソナルコンピュータでは、送信の度にパソコン通信かファクシミリ通信かを設定する必要があるので、設定操作が煩わしく、時間と労力とを多く消費するという課題があった。
【０００４】
本発明は、上記の点に鑑みて提案されたものであって、送信に際して通信の種類を設定する操作をなくすことができる通信装置、およびその通信装置を動作させるためのプログラムを格納した記憶媒体を提供することを目的としている。
【０００５】
【課題を解決するための手段】
上記目的を達成するため、請求項１に記載した発明の通信装置は、送信先情報の種類に電話回線を含む異なる複数の通信回線が接続された通信装置であって、送信先情報を入力可能な入力手段と、入力手段により入力された送信先情報が数字のみから構成されているか否かを判別する送信先情報種別判別手段と、送信先情報種別判別手段により判別された送信先情報が数字のみから構成されていると判別された場合には送信すべき情報を電話回線に出力し、送信先情報種別判別手段により判別された送信先情報が数字のみから構成されていないと判別された場合には送信すべき情報を他の通信回線に出力する送信情報出力手段とを備えている。
【０００６】
この通信装置によれば、入力された送信先情報が数字のみから構成されているか否かを判別し、送信先情報が数字のみから構成されている場合には送信すべき情報を電話回線に出力し、送信先情報が数字のみから構成されていない場合には送信すべき情報を他の通信回線に出力するので、送信に際して通信の種類を設定する操作をなくすことができる。
【０００７】
送信先情報は、たとえば電話番号の場合、複数桁の数字からなり、パソコン通信などのメールアドレスの場合、複数の英文字や英記号などからなる。
【０００８】
また、送信先情報は、使用者が直接入力してもよいし、使用者の所定の操作によりメモリから読み出されるようにしてもよい。
【０００９】
複数の通信回線は、たとえば電話回線やＬＡＮなどである。もちろん、電話回線はＩＳＤＮであってもよいし、ＬＡＮはインターネットなどに接続されていてもよい。
【００１０】
通信装置としては、たとえばファクシミリ通信用のモデムを備えたパーソナルコンピュータや、パーソナルコンピュータに接続されたファクシミリ装置、あるいはＯＣＲ機能を備えたファクシミリ装置などが考えられるが、これに限るものではない。
【００１１】
送信先情報種別判別手段は、たとえば所定のプログラムに基づいて動作するＣＰＵにより実現できる。
【００１２】
送信情報出力手段は、たとえば所定のプログラムに基づいて動作するＣＰＵとモデムとにより実現できる。
【００１３】
また、請求項２に記載した発明の通信装置は、請求項１記載の通信装置であって、送信先情報を１桁または少数桁の記号と対応付けて記憶する記憶手段と、１桁または少数桁の記号が入力手段より入力されたときに、それに対応する送信先情報を記憶手段から読み出して送信先情報種別判別手段に供給する送信先情報供給手段とを備えている。
【００１４】
この通信装置によれば、使用者がキー操作などにより１桁または少数桁の記号を入力すると、それに対応する送信先情報がメモリなどから読み出されるので、請求項１記載の通信装置による効果に加えて、使用者にとって容易かつ迅速に送信先情報を入力できる。
【００１５】
記号は、数字、英文字、英記号など、入力可能なものであれば何でもよい。
【００１６】
記憶手段としては、たとえばＥＥＰＲＯＭや電源バックアップの施されたＲＡＭなどを用いることができる。
【００１７】
送信先情報供給手段は、たとえば所定のプログラムに基づいて動作するＣＰＵにより実現できる。
【００１８】
更に、請求項３に記載した発明の通信装置は、請求項１記載の通信装置であって、通信回線は第１の通信回線である電話回線と第２の通信回線との２つであって、送信先情報を記憶する記憶手段を備え、記憶手段には、同一送信先の送信先情報であって種類が互いに異なるものが存在すれば、それらを互いに対応付けて記憶されており、送信情報出力手段は、記憶手段に互いに対応付けて記憶されている送信先情報のうちの一方が入力手段により入力された場合、送信先情報種別判別手段による判別結果に応じて送信すべき情報を第１の通信回線と第２の通信回線とのうちの一方を選択した結果、その選択した通信回線による送信が不可能な状態であれば、記憶手段から他方の送信先情報を読み出して他方の通信回線に送信すべき情報を出力するものである。
【００１９】
この通信装置によれば、一方の通信回線による送信が不可能な状態であれば、他方の通信回線に送信すべき情報を出力するので、請求項１記載の通信装置による効果に加えて、通信回線の状態が悪い場合でも確実に送信できる。
【００２０】
また、請求項４に記載した発明の通信装置は、請求項３記載の通信装置であって、第１の通信回線による送信が不可能な状態であるために第２の通信回線に送信すべき情報を出力する場合、および第２の通信回線による送信が不可能な状態であるために第１の通信回線に送信すべき情報を出力する場合に、送信すべき情報のデータ形式を、実際に出力する通信回線に適したデータ形式に変更するデータ変換手段を備えている。
【００２１】
この通信装置によれば、送信すべき情報のデータ形式を、実際に出力する通信回線に適したデータ形式に変更するので、請求項３記載の通信装置による効果に加えて、第１の通信回線による通信と第２の通信回線による通信とでデータ形式が異なる場合でも支障無く受信端末に適合したデータ形式で送信できる。
【００２２】
データ変換手段は、たとえば所定のプログラムに基づいて動作するＣＰＵにより実現できる。
【００２３】
更に、請求項５に記載した発明の記憶媒体は、送信先情報の種類に電話回線を含む異なる複数の通信回線が接続された通信装置を動作させるためのプログラムを格納した記憶媒体であって、入力された送信先情報の種類が、数字のみから構成されているか否かを判別する送信先情報種別判別プログラムと、送信先情報種別判別プログラムにより判別された送信先情報が数字のみから構成されていると判別された場合には送信すべき情報を電話回線に出力し、送信先情報種別判別プログラムにより判別された送信先情報が数字のみから構成されていないと判別された場合には送信すべき情報を他の通信回線に出力する送信情報出力プログラムとを含むプログラムが格納されている。
【００２４】
この記憶媒体によれば、格納されているプログラムに基づいてＣＰＵを動作させることにより、請求項１に記載の通信装置の動作を実現できる。
【００２５】
【発明の実施の形態】
以下、本発明の好ましい実施の形態を、図面を参照しつつ具体的に説明する。
【００２６】
図１は、本発明に係る通信装置の一例としてのファクシミリ装置の要部の回路ブロック図であって、このファクシミリ装置は、ＣＰＵ１、ＮＣＵ２、ＲＡＭ３、モデム４、ＲＯＭ５、ＥＥＰＲＯＭ６、ゲートアレイ７、コーデック８、ＤＭＡＣ９、ＬＡＮアダプタ１０、読取部１１、記録部１２、操作部１３、および表示部１４を備えている。ＣＰＵ１、ＮＣＵ２、ＲＡＭ３、モデム４、ＲＯＭ５、ＥＥＰＲＯＭ６、ゲートアレイ７、コーデック８、ＤＭＡＣ９、およびＬＡＮアダプタ１０はバス線により相互に接続されている。バス線には、アドレスバス、データバス、および制御信号線を含む。ゲートアレイ７には、読取部１１、記録部１２、操作部１３、および表示部１４が接続されている。ＮＣＵ２には、モデム４および電話回線２１が接続されており、ＬＡＮアダプタ１０には、ＬＡＮ２２が接続されている。
【００２７】
ＣＰＵ１は、ファクシミリ装置全体を制御する。ＮＣＵ２は、電話回線２１に接続されて網制御を行う。ＲＡＭ３は、各種のディジタルデータを記憶する。モデム４は、送信データの変調や受信データの復調などを行う。ＲＯＭ５は、各種のプログラムやデータなどを記憶している。ＥＥＰＲＯＭ６は、いわゆるワンタッチダイヤルや短縮ダイヤルなどの各種の登録データおよびフラグなどを記憶している。ゲートアレイ７は、ＣＰＵ１の入出力インターフェイスとして機能する。コーデック８は、送信ファクシミリデータの符号化や受信ファクシミリデータの復号化を行う。ＤＭＡＣ９は、ＲＡＭ３などへのメモリアクセスを制御する。ＬＡＮアダプタ１０は、ＬＡＮ２２とのインターフェイスとして機能する。読取部１１は、光源やＣＣＤセンサや原稿送りモータなどを備えており、原稿を読み取って画像信号を出力する。記録部１２は、画像データに基づいて、記録用紙上に画像を記録する。操作部１３は、キースイッチ群などからなり、使用者の操作に応じた操作信号を出力する。表示部１４は、ＬＣＤなどからなり、ＣＰＵ１により制御されて各種の表示を行う。
【００２８】
すなわち、ＣＰＵ１は、ＲＯＭ５に格納されたプログラムに基づいて動作することにより、操作部１３に入力された送信先情報が数字のみから構成されているか否かを判別する送信先情報種別判別手段と、送信先情報種別判別手段により判別された送信先情報が数字のみから構成されていると判別された場合には送信すべき情報を電話回線２１に出力し、送信先情報種別判別手段により判別された送信先情報が数字のみから構成されていないと判別された場合には送信すべき情報を他の通信回線であるＬＡＮ２２に出力する送信情報出力手段と、操作部１３に１桁または少数桁の記号からなるワンタッチダイヤルあるいは短縮ダイヤルが入力されたときに、それに対応する送信先情報をＥＥＰＲＯＭ６から読み出して送信先情報種別判別手段に供給する送信先情報供給手段と、電話回線２１による送信が不可能な状態でるためにＬＡＮ２２に送信すべき情報を出力する場合、およびＬＡＮ２２による送信が不可能な状態でるために電話回線２１に送信すべき情報を出力する場合に、送信すべき情報のデータ形式を、実際に出力する通信回線に適したデータ形式に変更するデータ変換手段とを実現している。ＲＯＭ５は、操作部１３に入力された送信先情報が数字のみから構成されているか否かを判別する送信先情報種別判別プログラムと、送信先情報種別判別プログラムにより判別された送信先情報が数字のみから構成されていると判別された場合には送信すべき情報を電話回線２１に出力し、送信先情報種別判別プログラムにより判別された送信先情報が数字のみから構成されていないと判別された場合には送信すべき情報を他の通信回線であるＬＡＮ２２に出力する送信情報出力プログラムとを含むプログラムを格納している。ＥＥＰＲＯＭ６は、送信先情報を１桁または少数桁の記号と対応付けて記憶する記憶手段を構成している。
【００２９】
次に、このように構成されたファクシミリ装置の動作の要点について説明する。送信に際して、使用者による操作部１３の操作によっていわゆるワンタッチダイヤルあるいは短縮ダイヤルの番号が入力されれば、その番号に対応する送信先情報をＥＥＰＲＯＭ６から読み出し、その送信先情報が電話番号であるかメールアドレスであるかを調べる。電話番号であれば数字のみからなり、メールアドレスであれば英文字と所定の英記号とからなるので、この判断は容易に行える。もちろん、使用者による操作部１３の操作によって送信先情報が直接入力された場合は、その送信先情報が電話番号であるかメールアドレスであるかを調べる。
【００３０】
送信先情報が電話番号であれば、電話回線２１にその電話番号のダイヤルパルスを送出し、送信先との接続に成功すれば、読取部１１によって読み取られてコーデック８によって符号化された送信画像データをモデム４によって変調し、電話回線２１に送出する。話中あるいは回線状態の不良などによって送信先との接続に成功しなければ、送信先の電話番号に対応するメールアドレスがＥＥＰＲＯＭ６に登録されているかどうかを調べ、登録されていれば、ＬＡＮ２２にそのメールアドレスを送出し、送信先との接続に成功すれば、読取部１１によって読み取られた送信画像データを文字データに変換し、ＬＡＮ２２に送出する。回線状態の不良などによって送信先との接続に成功しなければ、電話回線２１とＬＡＮ２２とのいずれによっても送信不能ということなので、送信しない。
【００３１】
送信先情報がメールアドレスであれば、ＬＡＮ２２にそのメールアドレスを送出し、送信先との接続に成功すれば、送信文字データをＬＡＮ２２に送出する。この文字データは、ファクシミリ装置がパーソナルコンピュータに接続されている場合、パーソナルコンピュータからのデータであってもよいし、あるいは、読取部１１によって読み取られた画像データを文字データに変換したものであってもよい。回線状態の不良などによって送信先との接続に成功しなければ、送信先のメールアドレスに対応する電話番号がＥＥＰＲＯＭ６に登録されているかどうかを調べ、登録されていれば、電話回線２１にその電話番号を送出し、送信先との接続に成功すれば、送信文字データを画像データに変換し、電話回線２１に送出する。回線状態の不良などによって送信先との接続に成功しなければ、電話回線２１とＬＡＮ２２とのいずれによっても送信不能ということなので、送信しない。
【００３２】
このようなファクシミリ装置による接続処理の手順について、図２に示すフローチャートを参照しながら説明する。
【００３３】
送信に際して、使用者が操作部１３のキー操作などにより送信先を入力すると、ＣＰＵ１が、入力された送信先が簡略送信先情報か否かを判断する（Ｓ１）。すなわち使用者は、送信先情報を直接入力する場合もあるし、いわゆるワンタッチダイヤルあるいは短縮ダイヤルの番号を入力する場合もあるので、入力された送信先がワンタッチダイヤルあるいは短縮ダイヤルの番号であるかどうかを調べるのである。
【００３４】
入力された送信先が簡略送信先情報であれば（Ｓ１：ＹＥＳ）、ＣＰＵ１が、入力された番号に対応する送信先情報がＥＥＰＲＯＭ６に存在するか否かを判断する（Ｓ２）。すなわち、入力された番号に対応する送信先情報がＥＥＰＲＯＭ６に登録されているか否かを調べる。入力された番号に対応する送信先情報がＥＥＰＲＯＭ６に存在すれば（Ｓ２：ＹＥＳ）、ＣＰＵ１が、ＥＥＰＲＯＭ６から入力された番号に対応する送信先情報を読み出し（Ｓ３）、その送信先情報が数字のみからなるか否かを判断する（Ｓ４）。すなわち、電話番号の場合は、数字のみからなり、メールアドレスの場合は、英文字および特定の英記号のみからなるので、送信データを電話回線２１に送出するかＬＡＮ２２に送出するかを決定するために、送信先情報が電話番号であるかメールアドレスであるかを調べるのである。
【００３５】
送信先情報が数字のみから構成されていれば（Ｓ４：ＹＥＳ）、ＣＰＵ１がＮＣＵ２を制御して、送信先情報に基づいて電話回線２１を接続する（Ｓ５）。すなわち、電話回線２１に送信先情報である電話番号に対応するダイヤルパルスを送出する。そしてＣＰＵ１が、電話回線２１の接続に成功したか否かを判断する（Ｓ６）。接続に成功すれば（Ｓ６：ＹＥＳ）、ＣＰＵ１が送信画像データをモデム４に供給し、電話回線２１に送信画像データを送出させる（Ｓ７）。そしてＣＰＵ１が、送信画像データの送出が終了したか否かを判断する（Ｓ８）。送信画像データの送出が終了すれば（Ｓ８：ＹＥＳ）、ＣＰＵ１が、ＮＣＵ２を制御して電話回線２１を開放させ（Ｓ９）、このルーチンを終了する。
【００３６】
Ｓ８において、送信画像データの送出が終了していなければ（Ｓ８：ＮＯ）、Ｓ８に戻って送信画像データの送出を継続する。
【００３７】
Ｓ６において、電話回線２１の接続に成功しなければ（Ｓ６：ＮＯ）、ＣＰＵ１が、電話回線２１の送信先情報に対応するＬＡＮ２２の送信先情報がＥＥＰＲＯＭ６に記憶されているか否かを判断する（Ｓ１０）。すなわち、話中あるいは回線状況の不良などにより電話回線２１の接続が不可能な状態であれば、同一の送信先に対してＬＡＮ２２による送信の可能性を探るため、同一の送信先のＬＡＮ２２の送信先情報がＥＥＰＲＯＭ６に記憶されているかどうかを調べるのである。電話回線２１の送信先情報に対応するＬＡＮ２２の送信先情報がＥＥＰＲＯＭ６に記憶されていれば（Ｓ１０：ＹＥＳ）、ＣＰＵ１が、そのＬＡＮ２２の送信先情報をＥＥＰＲＯＭ６から読み出し（Ｓ１１）、ＣＰＵ１がＬＡＮアダプタ１０を制御して、送信先情報に基づいてＬＡＮ２２を接続する（Ｓ１２）。すなわち、ＬＡＮ２２に送信先情報であるメールアドレスを送出する。そしてＣＰＵ１が、ＬＡＮ２２の接続に成功したか否かを判断する（Ｓ１３）。接続に成功すれば（Ｓ１３：ＹＥＳ）、ＣＰＵ１が、送信画像データをテキストデータに変換し（Ｓ１４）、Ｓ１７に進む。すなわち、読取部１１により読み取られた画像データを、ＬＡＮ２２による通信に使用されているデータ型式であるテキストデータに変換して、それを送信文字データとしてＬＡＮ２２に送出するのである。このデータ変換は、ＲＯＭ５に格納されているＯＣＲ用のプログラムに基づいてＣＰＵ１が動作することにより実行される。
【００３８】
Ｓ１３において、ＬＡＮ２２の接続に成功しなければ（Ｓ１３：ＮＯ）、電話回線２１による送信もＬＡＮ２２による送信も不可能であるということなので、このルーチンを終了する。
【００３９】
Ｓ１０において、電話回線２１の送信先情報に対応するＬＡＮ２２の送信先情報がＥＥＰＲＯＭ６に記憶されていなければ（Ｓ１０：ＮＯ）、送信できないので、このルーチンを終了する。
【００４０】
Ｓ４において、送信先情報が数字のみからなるものでなければ（Ｓ４：ＮＯ）、送信先情報がメールアドレスなので、ＣＰＵ１がＬＡＮアダプタ１０を制御して、送信先情報に基づいてＬＡＮ２２を接続する（Ｓ１５）。すなわち、ＬＡＮ２２に送信先情報であるメールアドレスを送出する。そしてＣＰＵ１が、ＬＡＮ２２の接続に成功したか否かを判断する（Ｓ１６）。接続に成功すれば（Ｓ１６：ＹＥＳ）、ＣＰＵ１が、ＬＡＮアダプタ１０を介して送信文字データをＬＡＮ２２に送出させ（Ｓ１７）、Ｓ８に進む。この送信文字データは、読取部１１により読み取った画像データをＣＰＵ１によりデータ変換したものであってもよいし、ファクシミリ装置が図外のマイクロコンピュータに接続されている場合、マイクロコンピュータからのデータであってもよい。
【００４１】
Ｓ１６において、ＬＡＮ２２の接続に成功しなければ（Ｓ１６：ＮＯ）、ＣＰＵ１が、ＬＡＮ２２の送信先情報に対応する電話回線２１の送信先情報がＥＥＰＲＯＭ６に記憶されているか否かを判断する（Ｓ１８）。すなわち、回線状況の不良などによりＬＡＮ２２の接続が不可能な状態であれば、同一の送信先に対して電話回線２１による送信の可能性を探るため、同一の送信先の電話回線２１の送信先情報がＥＥＰＲＯＭ６に記憶されているかどうかを調べるのである。ＬＡＮ２２の送信先情報に対応する電話回線２１の送信先情報がＥＥＰＲＯＭ６に記憶されていれば（Ｓ１８：ＹＥＳ）、ＣＰＵ１が、その電話回線２１の送信先情報をＥＥＰＲＯＭ６から読み出し（Ｓ１９）、ＣＰＵ１がＮＣＵ２を制御して、送信先情報に基づいて電話回線２１を接続する（Ｓ２０）。すなわち、電話回線２１に送信先情報である電話番号のダイヤルパルスを送出する。そしてＣＰＵ１が、電話回線２１の接続に成功したか否かを判断する（Ｓ２１）。接続に成功すれば（Ｓ２１：ＹＥＳ）、ＣＰＵ１が、テキストデータを送信画像データに変換し（Ｓ２２）、Ｓ７に進む。このデータ変換は、ＲＯＭ５に格納されているテキストデータから送信画像データへの変換テーブルを用いてＣＰＵ１により実行される。
【００４２】
Ｓ２１において、電話回線２１の接続に成功しなければ（Ｓ２１：ＮＯ）、電話回線２１による送信もＬＡＮ２２による送信も不可能であるということなので、このルーチンを終了する。
【００４３】
Ｓ１８において、ＬＡＮ２２の送信先情報に対応する電話回線２１の送信先情報がＥＥＰＲＯＭ６に記憶されていなければ（Ｓ１８：ＮＯ）、送信できないので、このルーチンを終了する。
【００４４】
Ｓ２において、入力された番号に対応する送信先情報がＥＥＰＲＯＭ６に存在しなければ（Ｓ２：ＮＯ）、送信先情報が不明で送信不可能であるので、このルーチンを終了する。
【００４５】
Ｓ１において、入力された送信先が簡略送信先情報でなければ（Ｓ１：ＮＯ）、ＥＥＰＲＯＭ６から送信先情報を読み出す必要がないので、Ｓ４に進む。
【００４６】
なお、同一内容の送信データを複数の送信先に送信する場合、使用者により入力された簡略送信先情報あるいは送信先情報をＲＡＭ３あるいはＥＥＰＲＯＭ６などに記憶させておき、ＲＡＭ３あるいはＥＥＰＲＯＭ６などから簡略送信先情報あるいは送信先情報を順次読み出して、上記の手順により送信すればよい。
【００４７】
【発明の効果】
以上説明したように請求項１に記載した発明の通信装置によれば、入力された送信先情報が数字のみから構成されているか否かを判別し、送信先情報が数字のみから構成されている場合には送信すべき情報を電話回線に出力し、送信先情報が数字のみから構成されていない場合には送信すべき情報を他の通信回線に出力するので、送信に際して通信の種類を設定する操作をなくすことができる。
【００４８】
また、請求項２に記載した発明の通信装置によれば、使用者がキー操作などにより１桁または少数桁の記号を入力すると、それに対応する送信先情報がメモリなどから読み出されるので、請求項１記載の通信装置による効果に加えて、使用者にとって容易かつ迅速に送信先情報を入力できる。
【００４９】
更に、請求項３に記載した発明の通信装置によれば、一方の通信回線による送信が不可能な状態であれば、他方の通信回線に送信すべき情報を出力するので、請求項１記載の通信装置による効果に加えて、通信回線の状態が悪い場合でも確実に送信できる。
【００５０】
また、請求項４に記載した発明の通信装置によれば、送信すべき情報のデータ形式を、実際に出力する通信回線に適したデータ形式に変更するので、請求項３記載の通信装置による効果に加えて、第１の通信回線による通信と第２の通信回線による通信とでデータ形式が異なる場合でも支障無く受信端末に適合したデータ形式で送信できる。
【００５１】
更に、請求項５に記載した発明の記憶媒体によれば、格納されているプログラムに基づいてＣＰＵを動作させることにより、請求項１に記載の通信装置の動作を実現できる。
【図面の簡単な説明】
【図１】  本発明に係る通信装置の一例としてのファクシミリ装置の要部の回路ブロック図である。
【図２】  図１に示すファクシミリ装置による接続処理の手順を説明するフローチャートである。
【符号の説明】
１  ＣＰＵ
２  ＮＣＵ
３  ＲＡＭ
４  モデム
５  ＲＯＭ
６  ＥＥＰＲＯＭ
７  ゲートアレイ
８  コーデック
９  ＤＭＡＣ
１０  ＬＡＮアダプタ
１１  読取部
１２  記録部
１３  操作部
１４  表示部
【図１】
0003675046.tif 000002
【図２】
0003675046.tif 000003